(57)【要約】【課題】最外部のフレーム幅を拡張しなくとも座の幅員を広げられる折畳椅子を提供する。【解決手段】前脚フレーム２はフレーム長軸方向の中央下部で後脚フレーム３と、同中央上部で座フレーム４と夫々ピン接合し、座フレーム４は前脚フレーム２及び後脚フレーム３に夫々ピン接合しており、これら３枚のフレームは折畳時に略同一の平面内に回動する。後脚フレーム３は外管３ａにスライド可能に挿入する一対の案内棒３ｂ，３ｂと、その先端に固着するピン連接具３ｃを備える。ピン連接具３ｃは支持軸４ａに回動自在に取り付けられ案内棒３ｂは折畳時には座フレーム４の回動に追随して外管３ａより出現して脚長を延伸する。折畳時には、最内部に後脚フレーム３、中間に座フレーム４、外方に前脚フレーム１が位置している。【選択図】図１
2007130110.tif 000002
【特許請求の範囲】
【請求項１】
下半部に脚部、上半部に背凭れを形成する前脚フレームと、下半部に脚部を形成して前記前脚フレームとピン接合し、折畳時に前脚フレームと略同一の平面内に回動する後脚フレームと、前脚フレーム及び後脚フレームに夫々ピン接合し、折畳時に前脚フレーム及び後脚フレームと略同一の平面内に回動する座フレームと、座フレームに装着して座面を形成する面材を有する折畳椅子において、前記後脚フレームは、前脚フレームとピン接合して上端に開口部を設ける外管と、この外管にスライド可能に挿入する一対の案内棒と、夫々の案内棒の先端に固着し座フレームの前方内側を支持する一対のピン連接具を備え、前記座フレームは、前脚フレームと後脚フレームの間に位置することを特徴とする折畳椅子。
【請求項２】
前記前脚フレームと後脚フレームのピン接合は、後脚フレームの周面に固着するピン受具に、前脚フレームを貫通するピンを挿入することを特徴とする請求項１記載の折畳椅子。
【請求項３】
前記座フレームと後脚フレームのピン接合は、前記面材の下面に支持軸受具を突設し、座フレーム及び前記ピン連接具を挿通する支持軸をこの支持軸受具に挿入することを特徴とする請求項２記載の折畳椅子。
【発明の詳細な説明】
【技術分野】
【０００１】
この発明は、前脚フレームと後脚フレーム及び座フレームを折畳時に略同一の平面内に回動して積層時の不要な空隙を無くした折畳椅子に関する。
【背景技術】
【０００２】
折畳時に同一平面内にフレームを収納し、水平に積み重ねることが可能な折畳椅子、即ち１本のフレームの直径を越えないで折り畳める平坦型の折畳椅子としては例えば下記に示すような従来技術があった。
【特許文献１】特開２００１−２３１６５３号公報  この従来の折畳椅子は、座を回転可能に支持する前脚フレームと、この前脚フレームの外側に位置し、ブラケットを介して座フレームの後端部側を回転可能に支持する後脚フレームとを有しており、前脚フレームと後脚フレーム及び座フレームを相互に回動させて折り畳んだ際には、前脚フレームの外側面と後脚フレームの内側面とが対向する位置まで移動するので、前脚フレームと後脚フレームが略面一をなす折畳状態に折り畳めるように構成されたものであり、このような折畳状態で同一形状の他の折畳椅子を略水平に積み重ねることができるものであった。
【発明の開示】
【発明が解決しようとする課題】
【０００３】
しかし、従来の折畳椅子は、最外部に後脚フレーム、その内部に前脚フレーム、更に最内部に座フレームを位置する構成であったため、座の幅員が狭くなる欠点があり、座の幅を広げると、最外部のフレーム幅が拡張し、積層して搬送する際に積荷効率が低下する問題点があった。
【０００４】
この発明は、従来の折畳椅子が有する上記の問題点を解消すべくなされたものであり、最外部のフレーム幅を拡張しなくとも座の幅員を広げられる折畳椅子を提供することを目的としている。
【課題を解決するための手段】
【０００５】
上記課題を解決するため、この発明の折畳椅子は、下半部に脚部、上半部に背凭れを形成する前脚フレームと、下半部に脚部を形成して前記前脚フレームとピン接合し、折畳時に前脚フレームと略同一の平面内に回動する後脚フレームと、前脚フレーム及び後脚フレームに夫々ピン接合し、折畳時に前脚フレーム及び後脚フレームと略同一の平面内に回動する座フレームと、座フレームに装着して座面を形成する面材を有する折畳椅子において、前記後脚フレームは、前脚フレームとピン接合して上端に開口部を設ける外管と、この外管にスライド可能に挿入する一対の案内棒と、夫々の案内棒の先端に固着し座フレームの前方内側を支持する一対のピン連接具を備え、前記座フレームは、前脚フレームと後脚フレームの間に位置することを特徴とするものである。
【０００６】
前脚フレームは、脚部と背凭れ部を兼用する部材であれば一対の棒材でもよいし、脚部を繋げた略Ｕの字形状のフレームでもよいし、又方形状に閉じたフレームでもよい。前脚フレームは長軸方向の中央下部で後脚フレームと、同中央上部で座フレームと夫々ピン接合し、座フレームとの接合部分より上部が背凭れ部となり、下部が脚部となる。
【０００７】
後脚フレームの案内棒は、椅子供用時には外管内に収納され、折畳時に座フレームの回動に追随して外管より出現して脚長を延伸する。外管は上端が開口するものであれば一対の棒材でもよいし、脚部を繋げた略Ｕの字形状のフレームでもよい。椅子供用時の外管は上端をピン連接具に当接し、座フレームの内側を支持する。従って外管は座フレームの内側に位置するため、前脚フレームとのピン接合部では少なくとも座フレームを越える間隙が必要となる。
【０００８】
座フレームは、椅子供用時には前脚フレームのピン接合部と、ピン連接具を介する後脚フレーム上端にて支持される。折畳時には、座フレームは前脚フレームの上半部側に回動し、前脚フレームの内側面と座フレームの外側面とが対向する位置で両フレームは略面一となる。この時、後脚フレームは前脚フレームの下半部に回動し、座フレームの内側で略面一となる。即ち最内部に後脚フレーム、中間に座フレーム、外方に前脚フレームが位置して略同一の平面内に収納される。
【０００９】
座フレームは、座を支える骨組であり、この骨組に合成樹脂製又は金属製あるいは木製等の座面が上面から被せる形で取り付けられる。
【００１０】
請求項２記載の折畳椅子の前脚フレームと後脚フレームのピン接合は、後脚フレームの周面に固着するピン受具に、前脚フレームを貫通するピンを挿入することを特徴とするものである。後脚フレームの外管内には案内棒がスライドするが、ピン受具を周面に固着することで、外管内部には突起物がなくなる。このため案内棒は外管内径に準じた径の部材を用いることができ強度がアップする。ピン受具は一端を脚部周面に固着し、他端にピン挿通口を設ける。
【００１１】
請求項３記載の折畳椅子の座フレームと後脚フレームのピン接合は、前記面材の下面に支持軸受具を突設し、座フレーム及び前記ピン連接具を挿通する支持軸をこの支持軸受具に挿入することを特徴とするものである。支持軸は座フレーム間に横架する一本の棒体でもよいし、各支持軸受具で分離する二本の棒材でもよい。一本の支持棒の場合、支持軸受具は支点を増加することで曲げ強度が補強される。
【発明の効果】
【００１２】
この発明の折畳椅子は、折畳時に座フレームを前脚フレームと後脚フレームの間に収納するようにしたので、最外部のフレーム幅を拡張しなくとも座の幅員を広げることができる。請求項２記載の折畳椅子は、後脚フレームの周面に固着するピン受具に前脚フレームを貫通するピンを挿入するようにしたので、外管内部に突起物がなくなり、案内棒の強度アップができる。請求項３記載の折畳椅子は、面材下面に突設する支持軸受具で支持軸を支持するので、スパンが短くなり支持棒の曲げ強度が補強される。
【発明を実施するための最良の形態】
【００１３】
次にこの発明の実施の形態を添付図面に基づき詳細に説明する。図１は折畳椅子の骨組を折り畳んだ状態の正面図、図２は折畳椅子の骨組を開き出した状態の斜視図である。折畳椅子の骨組構造１は、前脚フレーム２と後脚フレーム３及び座フレーム４を夫々ピン接合してなる。前脚フレーム２はフレーム長軸方向の中央下部で後脚フレーム３と、同中央上部で座フレーム４と夫々ピン接合し、座フレーム４との接合部分より上部が背凭れ部２ｂを形成し、これより下部が脚部２ａとなる。座フレーム４は前脚フレーム２及び後脚フレーム３に夫々ピン接合しており、これら３枚のフレームは折畳時に略同一の平面内に回動する。
【００１４】
後脚フレーム３は、脚部を繋げた略Ｕの字形状のフレームで上端が開口する外管３ａと、この外管３ａにスライド可能に挿入する一対の案内棒３ｂ，３ｂと、夫々の案内棒３ｂの先端に固着するピン連接具３ｃを備える。案内棒３ｂは、椅子供用時には外管３ａ内に収納され、外管３ａの上端はピン連接具３ｃに当接し座フレーム４を挿通して横架する支持軸４ａを介して座フレーム４の前方内側を支持する。ピン連接具３ｃは支持軸４ａに回動自在に取り付けられている。案内棒３ｂは図２に示すように折畳時には座フレーム４の矢印方向の回動に追随して外管３ａより出現して脚長を延伸する。
【００１５】
座フレーム４は、椅子供用時には前脚フレーム２とのピン接合部５と、ピン連接具３ｃを介する後脚フレーム３の上端にて支持される。ピン接合部５は両フレーム間にワッシャー５ａを挟み込みリベット５ｂにより回動自在に連結する。
【００１６】
図１に示すように折畳時には、座フレーム４は前脚フレーム１の上半部側に回動し、前脚フレーム１の内側面と座フレーム４の外側面とが対向する位置で、又前脚フレーム１の下半部に回動する後脚フレーム３は、座フレーム４の内側で全体が略面一となる。即ち最内部に後脚フレーム３、中間に座フレーム４、外方に前脚フレーム１が位置している。このため、最外部のフレーム幅を拡張しなくとも座の幅員を広げることができる。
【００１７】
後脚フレーム３の前脚フレーム１とのピン接合部６には、ピン受具６ａを設けこれに前脚フレーム１を貫通するピン６ｂを挿入する。外管３ａは座フレーム４の内側に位置するため、前脚フレーム１とのピン接合部６では少なくとも座フレーム４を越える間隙が必要となる。この間隙を保持する部材がピン受具６ａであり、これは外管３ａの周面に溶接等で固着する。
【００１８】
外管３ａ内には案内棒３ｂがスライドするが、ピン受具６ａを周面に固着することで、外管３ａ内部には突起物がなくなる。このため案内棒３ｂは外管３ａの内径に準じた径の部材を用いることができ強度がアップする。ピン受具６ａはピン６ｂの抜け止めを行うため開口部を設ける。
【００１９】
次に骨組に取り付ける座及び背凭れについて図３及び図４に基づき説明する。図３は折畳椅子の骨組に背凭れ及び座を取り付けた状態の正面図、図４は背凭れ部の拡大端面図である。座フレーム４には、合成樹脂製又は金属製あるいは木製等の座面７が上面から被せる形で取り付けられる。座面７の裏面には支持軸４ａを挿通する支持軸受具７ａが突設する。
【００２０】
支持軸受具７ａは座面７と一体に形成するものでもよいし、別途作製した部材を固着するものでもよい。又、左右に分離する構造でもよいし、単一の構造でもよい。支持軸受具７ａを座面７に形成し支点を増加することで支持軸４ａの曲げ強度を補強する。
【００２１】
前脚フレーム２の背凭れ部２ｂには背凭れ板８を装着する。背凭れ部２ｂは椅子に座った際、自然な姿勢がとれるようフレームを曲折してあり、長時間の利用にも適する構造である。背凭れ板８の前面には２箇所の凹部８ａを、その対応する背面には夫々突起体８ｂを設ける。折畳椅子を折り畳んで重ね合わせた時、図４に示すように隣接する背凭れ板８の凹部８ａに突起体８ｂが差込まれ、相互に係合する。このため積み重ね時の荷崩れが防止できる。
【００２２】
後脚フレーム３の下端には、合成樹脂製等の拡張部９を取り付け、椅子供用時の安定感を持たせ、滑り止め、横倒れ防止とする。又案内棒３ｂを挿入する外管３ａの上端には合成樹脂製等のキャップ１０を嵌合する。
【００２３】
後脚フレーム３のピン連接具３ｃを支持する支持軸４ａは座フレーム４間に横架する一本の棒体でもよいが、支持軸受具７ａの強度が十分期待できる場合には左右の支持軸受具７ａ，７ａで分離する二本の棒材とするものでもよい。この実施の形態を図５に示す。図５は別の実施の形態におけるピン連接具近傍の拡大平面図である。座面７の裏面に突設する支持軸受具７ａは、合成樹脂製等で作製し、座フレーム４を挿通する支持軸１４ａを回動自在に挿通して、外部に抜け止め１４ｂを固着する。
【００２４】
ピン連接具３ｃは支持軸１４ａを遊挿し、その外面で支持軸と直交する方向に案内棒３ｂを固定するためＴ字形状に固着した円筒体であって、強度のある合成樹脂製あるいはアルミダイキャスト製で作成する。
【産業上の利用可能性】
【００２５】
この発明の折畳椅子は、座の幅員が後脚の幅員より広い形状であれば、フレームと座面が一体化したタイプにも用いることができる。
【図面の簡単な説明】
【００２６】
【図１】折畳椅子の骨組を折り畳んだ状態の正面図である。
【図２】折畳椅子の骨組を開き出した状態の斜視図である。
【図３】折畳椅子の骨組に背凭れ及び座を取り付けた正面図である。
【図４】背凭れ部の拡大端面図である。
【図５】別の実施の形態におけるピン連接具近傍の拡大平面図である。
【符号の説明】
【００２７】
１  折畳椅子の骨組構造
２  前脚フレーム
３  後脚フレーム
３ａ  外管
３ｂ  案内棒
３ｃ  ピン連接具
４  座フレーム
４ａ  支持軸
５  ピン接合部
６  ピン接合部
【図１】
2007130110.tif 000003
【図２】
2007130110.tif 000004
【図３】
2007130110.tif 000005
【図４】
2007130110.tif 000006
【図５】
2007130110.tif 000007